(57)【要約】  【課題】コイン等の異物の侵入を防止できるとともに、侵入しかけた異物を取り出すことのできる収納型扉装置を提供する。  【解決手段】扉設置部１７は、扉９により閉じられる凹所１５と、扉９を収納する収納空間３５を有する。開閉機構１９は、凹所１５が閉じられる閉位置ＰＣと凹所１５が開かれる開位置ＰＯの間で扉９を移動させ、開位置ＰＯでは収納空間３５に扉９を収容させる。異物侵入防止部２１は、収納空間３５に収納されるときの扉９の先頭部である収納側扉端部４３の軌跡Ｌに沿って扉可動範囲を覆う形状を有している。扉９の開閉時、収納側扉端部４３が異物侵入防止部２１に沿って移動し、扉９と異物侵入防止部２１により収納空間３５が内部空間３７と仕切られる。【選択図】  図１
2009141037.tif 000002
【特許請求の範囲】
【請求項１】
扉と、
前記扉により閉じられる凹所が設けられると共に、前記扉を収納する収納空間が内部に設けられた扉設置部と、
前記凹所が閉じられる閉位置と前記凹所が開かれる開位置の間で前記扉を移動させ、前記開位置では前記収納空間に前記扉を収容させる開閉機構と、
前記収納空間に収納されるときの前記扉の先頭部である収納側扉端部の軌跡に沿って扉可動範囲を覆う形状を有する異物侵入防止部と、
を備えたことを特徴とする収納型扉装置。
【請求項２】
前記異物侵入防止部は、前記収納側扉端部の軌跡との間に侵入防止対象異物の大きさ以下の隙間を開けて配置されていることを特徴とする請求項１に記載の収納型扉装置。
【請求項３】
前記開閉機構は、前記扉を回動可能に支持し、前記異物侵入防止部は、前記扉が回動するときの前記収納側扉端部の円弧軌跡に沿って円弧状に設けられていることを特徴とする請求項１または２に記載の収納型扉装置。
【請求項４】
前記扉設置部は、前記凹所が上方を向くように設けられており、前記異物侵入防止部は、前記扉が前記閉位置にあるときの前記収納側扉端部の位置から、前記収納側扉端部の前記軌跡に沿って下方へ延び、前記扉が前記開位置にあるときの前記収納側扉端部の位置に達していることを特徴とする請求項１乃至３のいずれかに記載の収納型扉装置。
【請求項５】
前記扉設置部は樹脂製のパネルに設けられており、前記パネルが板金製のシャーシと組み合わされ、前記異物侵入防止部が、前記パネル側に設けられたパネル側防止部と、前記シャーシに設けられたシャーシ側防止部とを有し、前記シャーシ側防止部が前記パネル側防止部よりも前記収納空間の奥側に位置することを特徴とする請求項１乃至４のいずれかに記載の収納型扉装置。
【請求項６】
前記パネル側防止部と前記シャーシ側防止部の継ぎ目では、前記パネル側防止部の方が前記シャーシ側防止部よりも、前記収納側扉端部の軌跡から遠くに配置されていることを特徴とする請求項５に記載の収納型扉装置。
【請求項７】
前記シャーシ側防止部は、前記収納側扉端部の軌跡に沿って延びる板金製の壁部を有し、前記パネル側防止部は、前記パネルに一体成型され、前記収納側扉端部の軌跡と交差する方向に間隔を開けて配置された複数のリブを有し、前記複数のリブの間隔が侵入防止対象異物の大きさより小さく設定されていることを特徴とする請求項５または６に記載の収納型扉装置。
【請求項８】
請求項１乃至７のいずれかに記載の収納型扉装置が設けられた電子装置。
【発明の詳細な説明】
【技術分野】
【０００１】
本発明は、扉を開いたときに収納するように構成された収納型扉装置に関する。
【背景技術】
【０００２】
従来、電子装置などには、コネクタを保護したり、外観から隠すために、開閉可能な扉装置が設けられている。典型的には、回動可能な扉がパネルの凹所を塞ぐように設けられ、この凹所の底部にコネクタが配置されており、扉を閉じるとコネクタが隠れ、扉を開くとコネクタが現れる。扉装置は、コネクタ以外の構成要素にも適用され、例えばスイッチ等の操作部材やランプ等の表示部材のために扉が設けられる。
【０００３】
扉装置を設けた場合、開いた状態の扉がパネルから突出していると、ユーザの手などが意図せずに接触することがあり、扉が邪魔になる。そこで、従来より、扉を収納するタイプの扉装置が提案されている。この種の扉装置では、扉が単に開くだけでなく、開いた扉がパネルの隙間から装置内部へと収納される。以下、このような扉装置を、収納型扉装置という。従来の収納型扉装置は、一般にはパネルの垂直壁面に設けられている（例えば、特許文献１参照）。
【特許文献１】特開平７−１４６３６号公報
【発明の開示】
【発明が解決しようとする課題】
【０００４】
しかしながら、従来の収納型扉装置においては、設置方向によっては、扉を収納するための隙間から機器内部へとコイン等の異物が侵入する可能性があるという問題があった。上記の特許文献１のように扉が垂直面に設けられている場合には異物侵入の可能性は低かったが、扉が上面に設けられた場合には異物侵入の可能性が高くなる。
【０００５】
侵入が問題になる異物は、典型的にはコインである。電子装置の場合、機器内部の一次電源側へのコインの侵入を防ぐことが要求される。より詳細には、電子装置が使用される国の最小コインの侵入を防止することが要求される。
【０００６】
異物の侵入を防止するために、装置内で扉の下方に異物の受け皿を設置することも考えられる。しかし、このような構成では、受け皿の異物を取り出すことができず、異物が装置内に残留してしまう。
【０００７】
本発明は、従来の問題を解決するためになされたもので、その目的は、コイン等の異物の侵入を防止できるとともに、侵入しかけた異物を取り出すことのできる収納型扉装置を提供することにある。
【課題を解決するための手段】
【０００８】
本発明の収納型扉装置は、扉と、前記扉により閉じられる凹所が設けられると共に、前記扉を収納する収納空間が内部に設けられた扉設置部と、前記凹所が閉じられる閉位置と前記凹所が開かれる開位置の間で前記扉を移動させ、前記開位置では前記収納空間に前記扉を収容させる開閉機構と、前記収納空間に収納されるときの前記扉の先頭部である収納側扉端部の軌跡に沿って扉可動範囲を覆う形状を有する異物侵入防止部と、を備えている。
【０００９】
この構成により、上記構成の異物侵入防止部を備えたので、扉の開閉移動中、扉可動範囲を覆う異物侵入防止部に沿って扉先端の収納側扉端部が移動する。これにより、扉が開閉する過程および開状態において、扉自身と異物侵入防止部によって、収納空間が機器内部空間と仕切られる。したがって、異物は収納空間に留まり、収納空間を超えて機器内部へ侵入することはできない。また、収納空間に留まっている異物については、扉を閉じるときに、収納側扉端部が最後部として異物侵入防止部に沿って移動し、これにより異物は扉自体によって収納空間から押し出される。このようにして、異物の侵入を防止できるとともに、侵入しかけた異物を取り出すことができる。
【００１０】
本発明の収納型扉装置において、前記異物侵入防止部は、前記収納側扉端部の軌跡との間に侵入防止対象異物の大きさ以下の隙間を開けて配置されている。この構成により、異物の侵入防止と、侵入しかけた異物の取出しを効果的に行える。
【００１１】
また、本発明の収納型扉装置において、前記開閉機構は、前記扉を回動可能に支持し、前記異物侵入防止部は、前記扉が回動するときの前記収納側扉端部の円弧軌跡に沿って円弧状に設けられている。この構成により、収納側扉端部の軌跡に沿った適切な形状の異物侵入防止部を設けて、異物の侵入防止と、侵入しかけた異物の取出しを効果的に行える。
【００１２】
また、本発明の収納型扉装置においては、前記扉設置部は、前記凹所が上方を向くように設けられており、前記異物侵入防止部は、前記扉が前記閉位置にあるときの前記収納側扉端部の位置から、前記収納側扉端部の前記軌跡に沿って下方へ延び、前記扉が前記開位置にあるときの前記収納側扉端部の位置に達している。凹所は上方を向いていればよく、真上でも、斜め上でもよい。この構成により、扉が開位置に達したときでも異物が内部空間に侵入するのを防止でき、かつ、扉を閉じるときに異物を外部まで導くことができ、異物の侵入防止と、侵入しかけた異物の取出しを効果的に行える。本発明は、特に、異物がコインである場合に有効である。異物がコインである場合、コイン上端、下端と異物侵入防止部との接触位置によってコインの角度が決まる。本発明によれば、扉を開位置から閉位置へ向けて閉じていく過程で、異物侵入防止部の形状に従ってコインの角度が変わり、コイン姿勢が直立に近づく。コイン姿勢が直立位置を超えると、コイン重心がコイン下端より扉の側にずれ、コインが自重で扉に倒れる。そして、扉に向けてコインが倒れた状態で、収納側扉端部によって異物侵入防止部に沿ってコイン下端が押し上げられる。コインが扉に倒れているので、コイン上端が出口部分で引っ掛かるのを回避できる。このようにして、本発明によれば、扉を閉じるときに、異物侵入防止部の形状とコインの自重を利用してコインを扉に倒すことで、コインの引っ掛かりを防ぎ、コインをスムーズに排出できる。
【００１３】
また、本発明の収納型扉装置において、前記扉設置部は樹脂製のパネルに設けられており、前記パネルが板金製のシャーシと組み合わされ、前記異物侵入防止部が、前記パネル側に設けられたパネル側防止部と、前記シャーシに設けられたシャーシ側防止部とを有し、前記シャーシ側防止部が前記パネル側防止部よりも前記収納空間の奥側に位置する。この構成により、パネル、扉、シャーシといった少ない部品を用いた簡単な構成によって、異物の侵入防止と、侵入しかけた異物の取出しが可能になる。
【００１４】
また、本発明の収納型扉装置において、前記パネル側防止部と前記シャーシ側防止部の継ぎ目では、前記パネル側防止部の方が前記シャーシ側防止部よりも、前記収納側扉端部の軌跡から遠くに配置されている。この構成により、扉を閉じて収納空間の異物を排出するときに、シャーシとパネルの継ぎ目で異物が引っかかるのを回避し、異物をスムーズに排出できる。
【００１５】
また、本発明の収納型扉装置において、前記シャーシ側防止部は、前記収納側扉端部の軌跡に沿って延びる板金製の壁部を有し、前記パネル側防止部は、前記パネルに一体成型され、前記収納側扉端部の軌跡と交差する方向に間隔を開けて配置された複数のリブを有し、前記複数のリブの間隔が侵入防止対象異物の大きさより小さく設定されている。この構成により、パネル、扉、シャーシといった少ない部品を用いた簡単な構成によって、異物の侵入防止と、侵入しかけた異物の取出しが可能になる。
【００１６】
本発明の別の態様は電子装置であり、この電子装置は、上記の収納型扉装置を備えている。この態様によっても上述した本発明の利点が得られる。
【発明の効果】
【００１７】
本発明は、収納空間に収納されるときの扉の先頭部である収納側扉端部の軌跡に沿って扉可動範囲を覆う形状を有する異物侵入防止部を設けたことにより、扉を開くときに異物が収納空間の扉可動範囲に留まり、扉可動範囲に留まった異物は扉を閉じるときに扉自体を使って排出できる。したがって、異物の侵入を防止できるとともに、侵入しかけた異物を取り出せるという効果を有する収納型扉装置を提供できる。
【発明を実施するための最良の形態】
【００１８】
以下、本発明の実施の形態に係る収納型扉装置について、図面を用いて説明する。本発明の実施の形態に係る収納型扉装置を図１〜図６に示す。図１〜図３は収納型扉装置の断面を示しており、図４〜図６は、収納型扉装置が備えられる電子装置の全体構成を示している。まず、図４〜図６を参照して概略構成を説明し、それから図１〜図４を参照して本発明の構成について説明する。
【００１９】
図４において、本実施の形態の例では、電子装置１が映像音響調整器である。映像音響調整器はＡＶコントローラともいわれ、映像スイッチャとオーディオミキサーの機能を備える。この例では、映像音響調整器である電子装置１は、学校の教室で手元操作を可能とするために、操作面が上方を向く姿勢で教卓の上面に設置されている。電子装置１は卓上に埋め込まれてもよい。
【００２０】
図５および図６に示すように、電子装置１は操作用のパネル５を有し、図示のようにパネル５が上方、より詳細には斜め上方を向けて設けられている。パネル５の上面には、各種の操作部材と共に収納型扉装置７が備えられている。収納型扉装置７は、開閉可能な扉９を有している。図５では扉９が閉じられており、図６では扉９が開かれており、扉９の下のコネクタ１１が現れる。図６に示すように、開状態の扉９がパネル５に収納され、これにより、コネクタ１１に外部接続用コネクタを接続するときに扉９が邪魔になるのを回避できる。
【００２１】
図６の例では、コネクタのために扉が設けられている。しかし、コネクタ以外の構成のために扉が設けられてもよい。例えば、スイッチ、ボタン、ダイアル等の操作部材のために扉が設けられてよい。ランプ、ディスプレイ等の表示部材のために扉が設けられてもよい。複数種類の構成のために扉が設けられてもよい。一般には、扉は、常時使用されない構成を覆うように好適に設けられる。また、上記のように典型的には収納型扉装置７が電子装置１に備えられるが、電子装置以外の装置等に収納型扉装置７が設けられてもよい。
【００２２】
次に、図１〜図３を参照し、本実施の形態の収納型扉装置７の構成について説明する。図１は、扉９が閉じているときの状態を示し、図２は、扉９が開く途中の状態を示し、図３は扉９が完全に開いた状態を示している。図１〜図３において、収納型扉装置７は、コイン１３と共に示されている。コイン１３は、本実施の形態で想定される侵入防止対象の好適な例である。コイン１３の形状およびサイズとしては、本発明が適用される国の最小コインが好適に想定される。
【００２３】
図１に示すように、収納型扉装置７は、扉９と、扉９により塞がれる凹所１５が設けられた扉設置部１７と、扉９を閉位置ＰＣ（図１）と開位置ＰＯ（図３）の間で移動させる開閉機構１９と、機器内部へのコイン１３の侵入を防止する異物侵入防止部２１とを備えている。
【００２４】
扉設置部１７は、パネル５に設けられている。パネル５は樹脂製であり、板金製のシャーシ２３と組み付けられて、電子装置１のハウジングを構成している。扉設置部１７においては、パネル５に開口２５が設けられ、開口２５に凹所１５が設けられており、凹所１５の底部２９にコネクタ（図示せず）が配置されている。
【００２５】
凹所１５の端部３１には収納隙間３３が設けられ、収納隙間３３は、扉９を収納する収納空間３５に続いている。収納空間３５は、機器内部のうちでパネル５に近い部分である。本実施の形態では扉９および扉設置部１７がパネル５の縁部付近に配置されており、収納空間３５がパネル５の内側の隅部付近に設けられている。収納空間３５のさらに奥の空間は、内部空間３７であり、収納空間３５の下方からパネル５の中央に向かって広がっている。内部空間３７には、基板、電源等の活電部（一次電源側）が設けられている。したがって収納空間３５へのコイン１３の侵入は許容されるが、収納空間３５を超えて内部空間３７へのコイン１３の侵入は防止されるべきである。
【００２６】
扉９および開口２５は同様のサイズの長方形を有している。これにより、扉９が図１の閉位置ＰＣにあるときは、扉９の縁部が開口２５の縁部に接し、開口２５を塞ぎ、凹所１５を閉じて内部のコネクタを保護する。
【００２７】
開閉機構１９は、図１の閉位置ＰＣと図３の開位置ＰＯの間で扉９を移動させる機構であり、本実施の形態では開閉機構１９は回動機構であって、扉９を回動させる。開閉機構１９は、扉９の下面から突出した足部３９と、足部３９を回動可能に支持する回動軸４１とで構成されており、回動軸４１はパネル５に設けられている。また、足部３９は切り欠かれており、この切欠きを利用した弾性変形によって足部３９が回動軸４１に組み付けられる。
【００２８】
開閉機構１９の回動軸４１は、凹所１５の底部２９の下に配置されている。この軸配置により、扉９が閉位置ＰＣから開位置ＰＯに移動するとき、凹所１５の端部３１の収納隙間３３を通って収納空間３５へと侵入する。開位置ＰＯは、扉９が垂直になる位置であり、すなわち、閉位置ＰＣから９０度回転した位置である。開位置ＰＯでは、扉９が開口２５の縁に突き当たって停止する。
【００２９】
なお、本発明の範囲内で開閉機構１９は、扉９が円形の軌跡を描く回動機構に限定されない。開閉機構１９は例えば扉９に楕円形の軌跡を描かせる機構でもよい。
【００３０】
ここで、扉９の両側の端部のうちで、図１の右側の端部を収納側扉端部４３という。収納側扉端部４３は、扉９が閉位置ＰＣから開位置ＰＯへ移動して収納空間３５に収納されるときの扉９の先頭部である。また、収納側扉端部４３は、扉９が開位置ＰＯから閉位置ＰＣへ移動して収納空間３５から退出するときの最後部でもある。図１に示すように、収納側扉端部４３は斜めであり、収納側扉端部４３と対向する開口２５の縁部も斜面を有し、これにより扉９をスムーズに開閉でき、かつ、扉９と開口縁部との隙間を小さくできる。
【００３１】
次に、異物侵入防止部２１について説明する。異物侵入防止部２１は、上述したように異物であるコイン１３が内部空間３７へ侵入するのを防ぐ構成である。異物侵入防止部２１は、扉９が収納空間３５に収納されるときの収納側扉端部４３の軌跡Ｌに沿って扉可動範囲を軌跡外側から覆う形状を有している。本実施の形態では、開閉機構１９が扉９を回動可能に支持するので、収納側扉端部４３の軌跡Ｌが円弧である。この円弧軌跡Ｌに沿って、異物侵入防止部２１も円弧状に設けられている。また、異物侵入防止部２１は、収納側扉端部４３の軌跡Ｌとの間に、侵入防止対象であるコイン１３の厚さ以下の隙間を開けて配置されている。コイン１３の厚さは例えば１．５ｍｍであり、この場合、隙間の大きさが１．５ｍｍより小さく設定される。
【００３２】
前述したように、本実施の形態の変形例としては、開閉機構１９は、扉９に円形の軌跡を描かせなくてもよい。この場合でも、異物侵入防止部２１は、収納側扉端部４３の軌跡に沿った形状を有していればよい。例えば、扉９が楕円形の軌跡を描く場合に、異物侵入防止部２１が楕円形状を有してよい。
【００３３】
異物侵入防止部２１は、パネル側防止部４５とシャーシ側防止部４７とで構成されている。パネル側防止部４５はパネル５の一部であり、シャーシ側防止部４５はシャーシ２３の一部であり、シャーシ側防止部４５がパネル側防止部４５よりも収納空間３５の奥側に位置している。
【００３４】
シャーシ側防止部４７は、板金製の壁部４９であり、壁部４９は、収納側扉端部４３の軌跡Ｌに沿って延びた円弧形状を有している。シャーシ側防止部４７は、シャーシ本体５１に溶接されている。そして、シャーシ側防止部４７とシャーシ本体５１の接合部分が、パネル５の端部から下方へ突出する側部５３の先端に設けられた溝へと差し込まれて、パネル５とシャーシ２３が組み付けられている。
【００３５】
パネル側防止部４５は、パネル５と一体成形されている。図７を参照すると、パネル側防止部４５は、複数のリブ５５によって構成されている。複数のリブ５５は、扉９の長辺である収納側扉端部４３に沿った方向、すなわち、収納側扉端部４３の軌跡Ｌと交差する方向に間隔を開けて配置されている。隣接するリブ５５の間隔は、コイン１３の直径より小さく設定されており、したがって、図示のようにコイン１３が少なくとも１本のリブ５５に接する。例えば、コイン１３の直径が１５ｍｍである場合に、リブ間隔が１０ｍｍに設定される。
【００３６】
図１を参照すると、各々のリブ５５は、パネル５の天井から、下方へ垂れ下がるように突出している。本実施の形態では、扉９および扉設置部１７がパネル５の縁部に近い場所に配置されており、リブ５５もパネル５の内側の隅部に設けられている。より詳細には、前述したように、パネル５の端部から側部５３が下方に折れ曲がっている。扉設置部１７の開口２５の縁部は、パネル５の端部の近傍に設けられている。リブ５５は、開口２５の縁部から、側部５３の内壁にかけて設けられている。そして、リブ５５の稜線が、扉９の収納側扉端部４３の軌跡Ｌに沿った形状を有している。
【００３７】
パネル側防止部４５とシャーシ側防止部４７の継ぎ目５７は、図１に示すように異物侵入防止部２１の略中央部に位置している。継ぎ目５７は、パネル５を成形する型を上下に方向に抜ける位置に設定されている。
【００３８】
また、継ぎ目５７の近傍では、パネル側防止部４７と軌跡Ｌとの隙間が他の部分より少し拡大されている。これにより、継ぎ目５７では、シャーシ側防止部４７の方がパネル側防止部４５より高く設定されている。ここでの高さは、パネル５の側部５３からパネル内部に向かう方向の高さである。したがって、上記の高さ設定により、パネル側防止部４５の方がシャーシ側防止部４７よりも、収納側扉端部の軌跡Ｌから遠くに配置されている。
【００３９】
上記のように、本実施の形態では、異物侵入防止部２１が、パネル５のリブ５５とシャーシ２３に設けられた円弧状の壁部４９を利用して、少ない部品点数と簡素な構成で実現されている。扉９がパネル５の縁部付近に設けられているので、リブ５５をパネル内の隅部に好適に設けられ、壁部４９も小さくてすみ、この点でも本実施の形態の構成は有利である。
【００４０】
また、異物侵入防止部２１の設置範囲としては、異物侵入防止部２１の上端は、開口２５の縁部であり、すなわち凹所１５の入口部であり、そして、扉９が閉位置ＰＣにあるときの収納端部４３の位置である。この位置から異物侵入防止部２１が収納側扉端部４３の軌跡に沿って下方へ延びて、下端側では扉９が開位置ＰＯにあるときの収納端部４３の位置に異物侵入防止部２１が達している。要するに、異物侵入防止部２１は、収納側扉端部４３の軌跡Ｌの全体にわたって上下方向に設けられている。なお、異物侵入防止部２１はさらに延長されて下方に延びていてもよい。
【００４１】
以上に、本実施の形態に係る収納型扉装置７の構成について説明した。次に、収納型扉装置７の動作について説明する。まず、扉９を開くときの動作を説明し、それから、扉９を閉じるときの動作を説明する。
【００４２】
図１の状態では、扉９が閉位置ＰＣにあり、閉じている。扉９の上にコイン１３が載っているが、ユーザがコイン１３に気づかずに扉９を開けようとしたとする。扉９は、閉位置ＰＣから開位置ＰＯへ向けて、開閉機構１９の回動軸４１を中心に回動し、収納隙間３３を通って収納空間３５へ入っていく。このとき、図２に示されるように、扉９と、扉設置部１７の開口２５の縁部との間に隙間ができる。そして、扉９の表面がある程度傾くと、コイン１３に作用する力が静止摩擦力に打ち勝ち、コイン１３が扉９の上を滑って収納空間３５に突入する。
【００４３】
しかしながら、本実施の形態では、異物侵入防止部２１が、扉９の収納側扉端部４３の軌跡Ｌに沿って扉可動範囲を軌跡外側から覆う形状を有している。したがって、扉９を開いて収納空間３５に収容する過程では、収納側扉端部４３（すなわち扉９の移動の先頭部）が異物侵入防止部２１に沿って移動し続ける。これにより、扉９が開かれる間、そして扉９が完全に開かれた状態において、扉９自体と異物侵入防止部２１によって、収納空間３５が、その奥の内部空間３７と仕切られ続ける。その結果、コイン１３は収納空間３５まで到達できたとしても、収納空間に留まり、収納空間３５を超えて内部空間３７へ侵入することはできない。
【００４４】
図３では、扉９が開位置ＰＯに達して、完全に開かれている。コイン１３の下端が、収納側扉端部４３と異物侵入防止部２１により支持されてている。コイン１３は扉９からは離れ、異物侵入防止部２１に向かって倒れており、コイン上端は、異物侵入防止部２１のパネル側防止部４５に接している。
【００４５】
以上に扉９を開くときの動作を説明した。次に、扉９を閉じるときの動作を説明する。ここでは、図３の状態から扉９が閉じるとする。すなわち、コイン１３が収納空間３５に滞留していたとする。
【００４６】
扉９を閉じるときは、図３の開位置ＰＯから図１の閉位置ＰＣへ向けて、開閉機構１９の回動軸４１を中心として扉９が回動される。開動作と逆に、収納側扉端部４３が扉移動の最後部として、異物侵入防止部２１に沿って移動する。扉９自体と異物侵入防止部２１によって、収納空間３５が、その奥の内部空間３７と仕切られ続ける。そして、収納側扉端部４３によってコイン１３の下端が押し上げられる。異物侵入防止部２１のシャーシ側防止部４７が摩擦の小さい板金製なので、コイン１３はスムーズに押し上げられる。また、パネル側防止部４５のリブ５５の間隔がコイン１３の直径より小さいので、コイン１３は、確実に少なくとも一のリブ５５により、収納空間３５からの逸脱を規制される。
【００４７】
扉９は、上記のように回動されることにより、図３の位置から図８の位置まで移動する。この間のコイン姿勢としては、コイン１３の下端が収納側扉端部４３と異物侵入防止部２１の近接部分に支持されるとと共に、コイン１３の上端が異物侵入防止部２１に接する。コイン１３の角度は、コイン上端、下端と異物侵入防止部２１の接触位置によって決まる。扉９の回動に伴って収納側扉端部４３が移動すると、コイン下端が押し上げられて、異物侵入防止部２１の形状に従ってコイン１３の角度が変化し、コイン姿勢が直立に近づき、コイン重心はコイン下端の真上へと近づく。
【００４８】
そして、図８では、コイン姿勢が直立よりも扉９側に傾き、コイン重心がコイン下端より扉９の側へずれ、その結果、コイン１３が自重で扉９に向かって倒れる。図９は、上記のようにして扉９の回動に伴ってコイン１３の角度が変化し、扉９へ向かって倒れる過程を想像線で示している。その後は、コイン１３は扉９に向かって倒れた姿勢を維持する。そして、収納端部４３によって異物侵入防止部２１に沿ってコイン下端が押し上げられていく。
【００４９】
図１０では、コイン１３の下端が、パネル側防止部４５とシャーシ側防止部４７の継ぎ目５７へ達している。本実施の形態では、シャーシ側防止部４７の方が高く設定されており、すなわち、シャーシ側防止部４７よりもパネル側防止部４５の方が軌跡Ｌから遠くにある。これにより、パネル側防止部４５の下端へコイン１３が引っ掛かることもなく、スムーズにコイン１３が押し出される。
【００５０】
扉９がさらに回動されると、コイン１３が扉９へ向けて倒れた状態のまま、収納側扉端部４３によりコイン下端が押し上げられ、コイン下端は異物侵入防止部２１に沿って上昇を続ける。そして、扉９が閉じるときには（図１の閉位置ＰＣへ到達するときには）、コイン１３がパネル５の外に出ることができる。このように、本実施の形態では、異物侵入防止部２１とコイン自重とを利用してコイン１３を扉９へ倒した状態で排出するので、コイン上端が出口付近で引っ掛かることを回避でき、スムーズにコイン１３を排出できる。なお、コイン下端付近については、仕様によっては扉９が閉じる瞬間に扉９と開口縁部に挟まれる可能性があるが、この場合でも、コイン１３を指でつまんで容易に取り出すことができる。
【００５１】
以上に本発明の実施の形態に係る収納型扉装置７について説明した。本実施の形態によれば、上述したように、収納型扉装置７が、収納空間３５に収納されるときの扉９の先頭部である収納側扉端部４３の軌跡に沿って扉可動範囲を覆う形状を有する異物侵入防止部２１を備えている。このような異物侵入防止部２１を備えたので、扉９の開閉移動中、扉可動範囲を覆う異物侵入防止部２１に沿って扉先端の収納側扉端部４３が移動する。これにより、扉９が開閉する過程および開状態において、扉９自体と異物侵入防止部２１によって、収納空間３５の扉可動範囲が機器内部空間３７と仕切られる。したがって、異物は収納空間３５に留まり、収納空間３５を超えて機器内部へ侵入することはできない。また、収納空間３５に留まっている異物については、扉９を閉じるときに、収納側扉端部４３が最後部として異物侵入防止部２１に沿って移動しながら異物を押し出し、これにより異物は扉９自体によって収納空間３５から押し出される。このようにして、異物の侵入を防止できるとともに、侵入しかけた異物を取り出すことができる。
【００５２】
本実施の形態において、異物侵入防止部２１は、収納側扉端部４３の軌跡Ｌとの間に侵入防止対象異物の大きさ以下の隙間を開けて配置されており、これにより、異物の侵入防止と、侵入しかけた異物の取出しを効果的に行える。
【００５３】
また、本実施の形態において、異物侵入防止部２１は、収納側扉端部４３の軌跡Ｌとの間に侵入防止対象異物の大きさ以下の隙間を開けて配置されている。これにより、異物の侵入防止と、侵入しかけた異物の取出しを効果的に行える。
【００５４】
また、本実施の形態において、開閉機構１９は、扉９を回動可能に支持し、異物侵入防止部２１は、扉９が回動するときの収納側扉端部４３の円弧軌跡Ｌに沿って円弧状に設けられている。これにより、収納側扉端部４３の軌跡に沿った適切な形状の異物侵入防止部２１を設けて、異物の侵入防止と、侵入しかけた異物の取出しを効果的に行える。
【００５５】
また、本実施の形態においては、扉設置部１７は、凹所１５が上方を向くように設けられており、異物侵入防止部２１は、扉９が閉位置ＰＣにあるときの収納側扉端部４３の位置から、収納側扉端部４３の軌跡Ｌに沿って下方へ延び、扉９が開位置ＰＯにあるときの収納側扉端部４３の位置に達している。凹所１５は上方を向いていればよく、上記の例のように斜め上でもよく、あるいは真上でもよい。この構成により、扉９が開位置ＰＯに達したときでも異物が内部空間に侵入するのを防止でき、かつ、扉９を閉じるときに異物を外部まで導くことができ、異物の侵入防止と、侵入しかけた異物の取出しを効果的に行える。
【００５６】
本発明は、特に、異物がコインである場合に有効である。異物がコインである場合、コイン上端、下端と異物侵入防止部２１の接触位置によってコイン１３の角度が決まる。図８を用いて説明したように、扉９を開位置ＰＯから閉位置ＰＣへ向けて閉じていく過程では、異物侵入防止部２１の形状に応じてコイン１３の角度が変わり、コイン姿勢が直立に近づく。コイン姿勢が直立位置を超えると、コイン重心がコイン下端より扉の側にずれ、コイン１３が自重で扉９に倒れる。そして、扉９に向けてコイン１３が倒れた状態で、収納側扉端部４３によって異物侵入防止部２１に沿ってコイン下端が押し上げられる。コイン１３が扉９に倒れているので、コイン上端が出口部分で引っ掛かるのを回避できる。このようにして、本発明によれば、扉９を閉じるときに、異物侵入防止部２１の形状とコイン１３の自重を利用してコイン１３を扉９に倒すことで、コイン１３の引っ掛かりを防ぎ、コイン１３をスムーズに排出できる。
【００５７】
また、本実施の形態において、扉設置部１７は樹脂製のパネル５に設けられており、パネル５が板金製のシャーシ２３と組み合わされ、異物侵入防止部２１が、パネル５側に設けられたパネル側防止部４５と、シャーシ２３に設けられたシャーシ側防止部４７とを有し、シャーシ側防止部４７がパネル側防止部４５よりも収納空間３５の奥側に位置する。これにより、パネル５、扉９、シャーシ２３といった少ない部品を用いた簡単な構成によって、異物の侵入防止と、侵入しかけた異物の取出しが可能になる。
【００５８】
また、本実施の形態において、パネル側防止部４５とシャーシ側防止部４７の継ぎ目５７では、パネル側防止部４５の方がシャーシ側防４７止部よりも、収納側扉端部４３の軌跡Ｌから遠くに配置されている。この構成により、扉９を閉じて収納空間３５の異物を排出するときに、シャーシ２３とパネル５の継ぎ目５７で異物が引っかかるのを回避し、異物をスムーズに排出できる。
【００５９】
また、本実施の形態において、シャーシ側防止部４７は、収納側扉端部４３の軌跡Ｌに沿って延びる板金製の壁部４９を有し、パネル側防止部４５は、パネル５に一体成型され、収納側扉端部４３の軌跡と交差する方向に間隔を開けて配置された複数のリブ５５を有し、複数のリブ５５の間隔が侵入防止対象異物の大きさより小さく設定されている。この構成により、パネル５、扉９、シャーシ２３といった少ない部品を用いた簡単な構成によって、異物の侵入防止と、侵入しかけた異物の取出しが可能になる。
【００６０】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００６１】
以上のように、本発明にかかる収納型扉装置は、コイン等の異物の侵入を防止できるとともに、侵入しかけた異物を取り出すことのできるという効果を有し、映像音響調整器等として有用である。
【図面の簡単な説明】
【００６２】
【図１】本発明の実施の形態における、扉を閉じた状態における収納型扉装置の断面図
【図２】本発明の実施の形態における、扉を開く途中の状態における収納型扉装置の断面図
【図３】本発明の実施の形態における、扉を開いた状態における収納型扉装置の断面図
【図４】本発明の実施の形態における収納型扉装置を含む電子装置を示す図
【図５】収納型扉装置の扉を閉じた状態における電子装置を示す図
【図６】収納型扉装置の扉を開いた状態における電子装置を示す図
【図７】収納型扉装置の異物侵入防止部に設けられるリブを示す図
【図８】本発明の実施の形態における、扉を閉じる途中の状態における収納型扉装置の断面図
【図９】本発明の実施の形態における、扉を閉じる途中でコインが倒れる動作を示す収納型扉装置の断面図
【図１０】本発明の実施の形態における、扉を閉じる途中でシャーシとパネルの継ぎ目にコインが達したときの収納型扉装置の断面図
【符号の説明】
【００６３】
１  電子装置
５  パネル
７  収納型扉装置
９  扉
１１  コネクタ
１３  コイン
１５  凹所
１７  扉設置部
１９  開閉機構
２１  異物侵入防止部
２３  シャーシ
３３  収納隙間
３５  収納空間
３７  内部空間
４１  回動軸
４３  収納側扉端部
４５  パネル側防止部
４７  シャーシ側防止部
５５  リブ
５７  継ぎ目
Ｌ  軌跡
ＰＣ  閉位置
ＰＯ  開位置
【図１】
2009141037.tif 000003
【図２】
2009141037.tif 000004
【図３】
2009141037.tif 000005
【図４】
2009141037.tif 000006
【図５】
2009141037.tif 000007
【図６】
2009141037.tif 000008
【図７】
2009141037.tif 000009
【図８】
2009141037.tif 000010
【図９】
2009141037.tif 000011
【図１０】
2009141037.tif 000012